【手続補正書】
【提出日】平成19年4月3日(2007.4.3)
【手続補正１】
【補正対象書類名】明細書
【補正対象項目名】特許請求の範囲
【補正方法】変更
【補正の内容】
【特許請求の範囲】
【請求項１】 物体側より順に正の屈折力の第１群と負の屈折力の第２群を有し、前記第１群と第２群の間隔を変化させて広角端から望遠端への変倍を行い、前記第２群は物体側より第２ａ群と負の屈折力を有する第２ｂ群を含む複数のレンズ群を有し、前記第２ｂ群を光軸と垂直方向に移動させて画像のブレを補正する防振を行い、広角端と望遠端での第ｉ群と第ｉ＋１群の間隔をＤｉＷ、Ｄｉｔ、望遠端での第２群と第２ｂ群の焦点距離を各々ｆ２，ｆ２ｂ、広角端と望遠端での全系の焦点距離を各々ｆＷ，ｆＴとしたときＤ１Ｗ＜Ｄ１Ｔ０．８５＜ｆ２ｂ／ｆ２＜１．２
【数１】
1999316342.tif 000001
なる条件を満足することを特徴とする防振機能を有した変倍光学系。
【請求項２】 前記第２ａ群の焦点距離をｆ２ａとしたとき１０＜ｆ２ａ／｜ｆ２｜＜２０なる条件を満足することを特徴とする請求項１の防振機能を有した変倍光学系。
【請求項３】 前記第２ａ群は１枚の正レンズより構成されることを特徴とする請求項１の防振機能を有した変倍光学系。
【請求項４】 前記第１群は１枚の負レンズと１枚又は２枚の正レンズより構成され、前記第１群の焦点距離をｆ１としたとき
【数２】
1999316342.tif 000002
なる条件を満足することを特徴とする請求項１の防振機能を有した変倍光学系。
【請求項５】 前記第２ｂ群は２枚の負レンズと一枚の正レンズより構成されることを特徴とする請求項１の防振機能を有した変倍光学系。
【請求項６】 全レンズ系の最も像面側には負の屈折力の第ＬＲ群が配置されており、該第ＬＲ群は１枚の正レンズと１枚又は２枚の負レンズより構成され、広角端から望遠端への変倍の際には物体側に移動し、前記第ＬＲ群の焦点距離をｆＲＮ、広角端と望遠端での倍率をβＷ，βＴとしたとき１．２＜βＴ／βＷ＜１．５
【数３】
1999316342.tif 000003
なる条件を満足することを特徴とする請求項１の防振機能を有した変倍光学系。
【請求項７】 前記第ＬＲ群の物体側には正の屈折力の第ＬＦ群が配置され、前記第ＬＦ群の焦点距離をｆＲＰ、広角端と望遠端での前記第ＬＲ群と前記第ＬＦ群の間隔を各々ＤＲＷ，ＤＲＴとしたときＤＲＴ＜ＤＲＷ
【数４】
1999316342.tif 000004
なる条件を満足することを特徴とする請求項６の防振機能を有した変倍光学系。
【請求項８】 前記第２群の像面側には、正の屈折力を有する第３群が配置され、前記第３群は１枚の負レンズと１枚又は２枚の正レンズより構成され、前記第３群の焦点距離をｆ３としたときＤ２Ｔ＜Ｄ２Ｗ１．４＜ｆ３／｜ｆ２｜＜１．７なる条件を満足することを特徴とする請求項１の防振機能を有した変倍光学系。
【請求項９】 前記第３群の像面側には１枚の負レンズより構成される第４群を有し、前記第４群の焦点距離をｆ４としたとき
【数５】
1999316342.tif 000005
なる条件を満足することを特徴とする請求項８の防振機能を有した変倍光学系。
【請求項１０】 フォーカシングを前記第ＬＲ群を移動させて行ったことを特徴とする請求項６の防振機能を有した変倍光学系。
【請求項１１】 全レンズ系の最も像側には負の屈折力の第ＬＲ群が配置されており、物体距離無限から至近へのフォーカシングを前記第ＬＲ群を像面側に移動させ、前記第４群を物体側に移動させて行ったことを特徴とする請求項９の防振機能を有した変倍光学系。
【請求項１２】 前記第２群は物体側より正の屈折力の第２ａ群と負の屈折力の第２ｂ群より構成されることを特徴とする請求項３の防振機能を有した変倍光学系。
【請求項１３】 前記第２群は物体側より正の屈折力の第２ａ群と負の屈折力の第２ｂ群、そして負の屈折力を有する第２ｃ群より構成され、前記第２ｃ群の焦点距離をｆ２ｃとしたとき４＜ｆ２ｃ／ｆ２＜２０なる条件を満足することを特徴とする請求項３の防振機能を有した変倍光学系。
【請求項１４】 前記第１群の広角端から望遠端への変倍の際の移動量をＭ１、広角端での光学全長をＯＴＬＷ、最も像面側に配置される第ＬＲ群の広角端から望遠端への変倍の際の移動量をＭＲＮとしたとき０．３２＜−Ｍ１／ＯＴＬＷ＜０．４０．５ ＜｜ＭＲＮ／Ｍ１｜＜０．６Ｄ３Ｗ＜Ｄ３ＴＤ４Ｔ＜Ｄ４Ｗなる条件を満足することを特徴とする請求項９の防振機能を有した変倍光学系。
【請求項１５】 物体側より順に正の屈折力の第１群、負の屈折力の第２群、正の屈折力の第３群、負の屈折力の第４群、正の屈折力の第５群、そして負の屈折力の第６群の６つのレンズ群を有し、該第２群は正の屈折力の第２ａ群と負の屈折力の第２ｂ群又は正の屈折力の第２ａ群と負の屈折力の第２ｂ群、そして負の屈折力の第２ｃ群より成り、広角端から望遠端への変倍を該第１，第３，第５，第６群をいずれも物体側へ移動させて行う変倍光学系であって、該第２ｂ群を光軸と垂直方向に移動させて該変倍光学系が振動したときに生じる画像のブレを補正し、広角端と望遠端での第ｉ群と第ｉ＋１群の間隔をＤｉＷ、ＤｉＴ、望遠端での第２群と第２ｂ群の焦点距離を各々ｆ２，ｆ２ｂ、広角端と望遠端での全系の焦点距離を各々ｆＷ，ｆＴとしたときＤ１Ｗ＜Ｄ１Ｔ０．８５＜ｆ２ｂ／ｆ２＜１．２
【数６】
1999316342.tif 000006
なる条件を満足することを特徴とする防振機能を有した変倍光学系。
【手続補正２】
【補正対象書類名】明細書
【補正対象項目名】００１０
【補正方法】変更
【補正の内容】
【００１０】
【課題を解決するための手段】
本発明の防振機能を有した変倍光学系は、物体側より順に正の屈折力の第１群と負の屈折力の第２群を有し、前記第１群と第２群の間隔を変化させて広角端から望遠端への変倍を行い、前記第２群は物体側より第２ａ群と負の屈折力を有する第２ｂ群を含む複数のレンズ群を有し、前記第２ｂ群を光軸と垂直方向に移動させて画像のブレを補正する防振を行い、広角端と望遠端での第ｉ群と第ｉ＋１群の間隔をＤｉＷ、Ｄｉｔ、望遠端での第２群と第２ｂ群の焦点距離を各々ｆ２，ｆ２ｂ、広角端と望遠端での全系の焦点距離を各々ｆＷ，ｆＴとしたときＤ１Ｗ＜Ｄ１Ｔ０．８５＜ｆ２ｂ／ｆ２＜１．２
【数７】
1999316342.tif 000007
なる条件を満足することを特徴としている。
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】変更
【補正の内容】
【００１２】
この他本発明の防振機能を有した変倍光学系は、物体側より順に正の屈折力の第１群、負の屈折力の第２群、正の屈折力の第３群、負の屈折力の第４群、正の屈折力の第５群、そして負の屈折力の第６群の６つのレンズ群を有し、該第２群は正の屈折力の第２ａ群と負の屈折力の第２ｂ群又は正の屈折力の第２ａ群と負の屈折力の第２ｂ群、そして負の屈折力の第２ｃ群より成り、広角端から望遠端への変倍を該第１，第３，第５，第６群をいずれも物体側へ移動させて行う変倍光学系であって、該第２ｂ群を光軸と垂直方向に移動させて該変倍光学系が振動したときに生じる画像のブレを補正し、広角端と望遠端での第ｉ群と第ｉ＋１群の間隔をＤｉＷ、ＤｉＴ、望遠端での第２群と第２ｂ群の焦点距離を各々ｆ２，ｆ２ｂ、広角端と望遠端での全系の焦点距離を各々ｆＷ，ｆＴとしたときＤ１Ｗ＜Ｄ１Ｔ０．８５＜ｆ２ｂ／ｆ２＜１．２
【数８】
1999316342.tif 000008
なる条件を満足することを特徴としている。
【手続補正５】
【補正対象書類名】明細書
【補正対象項目名】００１３
【補正方法】削除
【補正の内容】
【手続補正６】
【補正対象書類名】明細書
【補正対象項目名】００４５
【補正方法】変更
【補正の内容】
【００４５】
(ア-6) 前記第ＬＲ群の物体側には正の屈折力の第ＬＦ群が配置され、前記第ＬＦ群の焦点距離をｆＲＰ、広角端と望遠端での前記第ＬＲ群と前記第ＬＦ群の間隔を各々ＤＲＷ，ＤＲＴとしたとき
ＤＲＴ＜ＤＲＷ ‥‥‥（８）